(57)【要約】【課題】菓子類包装用容器等に付加価値を設けて、その容器に対する購買意欲を刺激できるようにした。【解決手段】蓋体２頂壁の上面を、複数の平板状をなす絵付きピース６で覆合させた。【選択図】　図１
2004001844.tif 000002
【特許請求の範囲】
【請求項１】
蓋体頂壁３の上面を、複数の平板状をなす絵付きピース６で覆合させた
ことを特徴とするピース付き容器。
【請求項２】
上記各ピース６の表面に、個別の全体絵をそれぞれ表示すると共に、各ピースをジグソーパズル用のピース兼用としてそれぞれ異る外形とし、又各ピースを予め定められた所定位置へ相互に嵌め合せして得られる、個別の絵の全体で単独の集合絵を形成した
ことを特徴とする、請求項１記載のピース付き容器。
【請求項３】
上記各ピース６を、台板７と該台板上へ着脱自在に接着されたタックシール８とで形成し、かつ該タックシール８は、シール９と該シール下面へ離脱可能に層着された接着剤１０とで形成した
ことを特徴とする、請求項１又は２記載のピース付き容器。
【請求項４】
蓋体頂壁３の外周部を隆起４させて、該隆起部分が囲む頂壁部分を、上記ピース収納用の浅い凹部となし、
又各ピース６の厚みを凹部の深さとほぼ等しくしてその凹部内へ各ピースを敷きつめし、容器全体をシュリンク包装させた
ことを特徴とする、請求項１、２又は３記載のピース付き容器。
【発明の詳細な説明】
【０００１】
【発明の属する技術分野】
本発明はジグソーパズル用等のピース付き容器に関する。
【０００２】
【従来の技術】
例えば菓子類を収納する容器の外面、特に蓋体頂壁上面には各種装飾が施されており、又上記容器とは全く異るが、ジグソーパズル、ワッペン、メンコ、タックシール等も知られている。
【０００３】
【発明が解決しようとする課題】
上記ジグソーパズル等も装飾が施されているから、例えば蓋体頂壁の装飾を省いてジグソーパズルを載置すれば、蓋体頂壁への装飾を省くことが出来、容器購入後、消費者は容器からジグソーパズルを外して該ジグソーパズルで遊ぶことも出来、又そのジグソーパズルの各ピースをワッペン、メンコ、シール等に転用して遊ぶことが出来れば更に便利である。
【０００４】
本発明はそのように、容器蓋体の頂壁上面を複数の絵付きピースで覆合させ、そのピースを他の玩具としても利用できるよう設けたものである。
【０００５】
【課題を解決するための手段】
第１の手段として蓋体頂壁３の上面を、複数の平板状をなす絵付きピース６で覆合させた。
【０００６】
第２の手段として上記第１の手段を有すると共に上記各ピース６の表面に、個別の全体絵をそれぞれ表示すると共に、各ピースをジグソーパズル用のピース兼用としてそれぞれ異る外形とし、又各ピースを予め定められた所定位置へ相互に嵌め合せして得られる、個別の絵の全体で単独の集合絵を形成した。
【０００７】
第３の手段として、上記第１又は第２の手段を有すると共に上記各ピース６を、台板７と該台板上へ着脱自在に接着されたタックシール８とで形成し、かつ該タックシール８は、シール９と該シール下面へ離脱可能に層着された接着剤１０とで形成した。
【０００８】
第４の手段として、上記第１、第２、又は第３の手段を有すると共に蓋体頂壁３の外周部を隆起４させて、該隆起部分が囲む頂壁部分を、上記ピース収納用の浅い凹部となし、
又各ピース６の厚みを凹部の深さとほぼ等しくしてその凹部内へ各ピースを敷きつめし、容器全体をシュリンク包装させた。
【０００９】
【発明の実施の形態】
以下図面について説明すると、１は例えば菓子等を収納する容器体、２はその容器体上面へ着脱自在に嵌合させた蓋体であり該蓋体は、頂壁３の外周部を僅かに隆起４させている。該隆起部が囲む頂壁部分は深さの浅い凹部とされ、該凹部の深さは後述のピースの肉厚とほぼ等しくし、隆起部外周からは周壁５を垂下している。
【００１０】
上記頂壁３の全上面へは、図が示すように複数の絵付きの平板状ピース６を敷きつめている。それ等各ピースの表面には、図示例においてはライオン、象、キリン等の個別の絵をそれぞれ表示すると共に、各ピースはジグソーパズル用のピース兼用として、それぞれ異る外形としており、各ピースは、予め定められた蓋体頂壁３上の位置へ置くことで、各ピースを嵌め合せ可能としている。又各ピース上面へ描出された個々の絵は、上記各ピースを嵌め合せた状態において、図示例にあってはそれ等各絵の全体が動物園を示すよう設けている。即ち、個々のピース上面には個別の動物を、又ピース全体としては、それ等各動物全体により動物園を示すよう設けている。
【００１１】
上記個別絵は、各種恐竜、或いは空想上のキャラクターに代えてもよく、それ等個別絵を有する各ピース嵌め合せによって形成する全体絵としては、それ等個別の恐竜等が集まっている、映画の一場面等とすることが考えられる。
【００１２】
上記各ピースは、図２が示すように台板７と、該台板上へ着脱自在に接着させたタックシール８とで形成する。又そのタックシールは、上記個別絵付きのシール９と、該シール下面へ剥離不能に層着させた接着剤１０とで形成する。タックシール８は上記台板７に対して着脱自在であり、例えば台板７から剥がして各種器物等への貼着が可能としておく。
【００１３】
上記ピース６は、次のように使用することが出来る。
【００１４】
その一つはピース全体をジグソーパズルとして使用することであり、その２は個別のピースをメンコないしワッペンとして使用することであり、その３としては、各ピースの台板７からタックシール８を剥がして、他の物に貼着することである。タックシールとして使用する場合は、更に他の物に貼替えすることも出来る。
【００１５】
既述容器の包装は、透明なシュリンク用透明フィルム１１でシュリンク包装して行えばよく、図１が示すように蓋体２の頂壁上へ、各ピース嵌め合せ状態にピース６を並べてその頂壁上を覆合させ、該状態でシュリンク包装する。該包装状態で各ピース上面へ透明なシュリンク用フィルム１１を図２が示すように圧接させれば、容器輸送時等に各ピースが蓋体頂壁上に定めた所定位置からずれ、或いは移動してピース全体で描出させる全体絵が損なわれることがない。
【００１６】
【発明の効果】
本発明は既述構成とするもので、請求項１記載の構成とすることで、複数の絵付きピースにより容器に付加価値を持たせることが出来、又絵付きピースを蓋体頂壁上へ敷きつめしてその頂壁上面を覆合させるから、蓋体頂壁への装飾は省くことも出来る。
【００１７】
請求項２のようにすることで、各ピースをジグソーパズルとして使用することが出来、又各ピース表面にはそれぞれ個別の全体絵が表示されていて、通常のジグソーパズルの各ピースのように、各ピース全体で示す絵の一部としての部分絵だけを各ピースに表示しているのではないから、各ピースをメンコ或いはワッペンとして使用することも出来る。
【００１８】
請求項３のようにすることで、各ピースをタックシールとしても使用することが出来る。
【００１９】
請求項４のようにすることで、蓋体頂壁上面の所定位置から各ピースが移動したり、又各ピースが重合う等して蓋体外見を損うことがなく、又頂壁外周の隆起部が各ピース保護の機能を果たすことを期待することが出来る。
【図面の簡単な説明】
【図１】本発明容器の斜視図である。
【図２】蓋体一部の拡大断面図である。
【符号の説明】
２…蓋体　　　　　　　　　　　４…隆起
６…ピース　　　　　　　　　　　７…台板
８…タックシール　　　　　　　９…シール
１０…接着剤層　　　　　　　　　　　　　　１１…シュリンク用フィルム
【図１】
2004001844.tif 000003
【図２】
2004001844.tif 000004